(57)【要約】      （修正有）【課題】コイル端部と外部ケーブルとの接続箇所を強固に保持固定できるエレベータの電磁マグネット装置を提供する。【解決手段】隅角部の上下部に取り付け用係止部１２が設けられたボビン２と、ボビンに巻き付けられたコイル３と、ボビンの隅角部に配置されたコイルの巻き始めコイル端部４及び巻き終わりコイル端部５と、コイルの巻き始めコイル端部及び巻き終わりコイル端部に配線・接続された巻き始め用外部ケーブル６及び巻き終わり用外部ケーブル７と、ボビンの隅角部に取り付けられ、巻き始めコイル端部と巻き始め用外部ケーブルとの接続部及び巻き終わりコイル端部と巻き終わり用外部ケーブルとの接続部を保持固定する接続部保持部材８と、接続部保持部材の上下部に設けられ、ボビンの取り付け用係止部と互いに着脱自在に係合する取り付け係合部とを備える。【選択図】図１
2007261725.tif 000002
【特許請求の範囲】
【請求項１】
エレベータの巻上機に搭載される電動機やブレーキ装置等に設けられるエレベータのマグネット装置において、
隅角部の上下部に取り付け用係止部が設けられたボビンと、
前記ボビンに巻き付けられたコイルと、
前記ボビンの隅角部に配置されたコイルの巻き始めコイル端部及び巻き終わりコイル端部と、
前記コイルの巻き始めコイル端部及び巻き終わりコイル端部にそれぞれ配線・接続された巻き始め用外部ケーブル及び巻き終わり用外部ケーブルと、
前記ボビンの隅角部に取り付けられ、前記巻き始めコイル端部と巻き始め用外部ケーブルとの接続部及び巻き終わりコイル端部と巻き終わり用外部ケーブルとの接続部を保持固定する接続部保持部材と、
前記接続部保持部材の上下部に設けられ、前記ボビンの取り付け用係止部と互いに着脱自在に係合する取り付け係合部と、
を備えたことを特徴とするエレベータの電磁マグネット装置。
【請求項２】
エレベータの巻上機に搭載される電動機やブレーキ装置等に設けられるエレベータのマグネット装置において、
隅角部の上下部に取り付け用係止部が設けられたボビンと、
前記ボビンに巻き付けられ、ボビンの隅角部では湾曲されて巻き付けられるコイルと、
前記ボビンの隅角部で立ち上げるように整形されたコイルの巻き始めコイル端部及び巻き終わりコイル端部と、
前記コイルの巻き始めコイル端部及び巻き終わりコイル端部にそれぞれ配線・接続された巻き始め用外部ケーブル及び巻き終わり用外部ケーブルと、
前記ボビンの隅角部に取り付けられ、前記巻き始めコイル端部と巻き始め用外部ケーブルとの接続部及び巻き終わりコイル端部と巻き終わり用外部ケーブルとの接続部を保持固定する接続部保持部材と、
前記接続部保持部材の上下部に設けられ、前記ボビンの取り付け用係止部と互いに着脱自在に係合する取り付け係合部と、
を備えたことを特徴とするエレベータの電磁マグネット装置。
【請求項３】
ボビン及び接続部保持部材は、絶縁性を有する樹脂成形品であることを特徴とする請求項１記載のエレベータの電磁マグネット装置。
【請求項４】
ボビンの取り付け用係止部は多段式の溝部であり、接続部保持部材の取り付け用係合部は前記多段式溝部に着脱自在に係合する取り付け用突起であり、前記接続部保持部材は、巻き始めコイル端部と巻き始め用外部ケーブルとの接続部及び巻き終わりコイル端部と巻き終わり用外部ケーブルとの接続部を個別に収容保持する接続部保持用溝を有することを特徴とする請求項１〜請求項３のいずれかに記載のエレベータの電磁マグネット装置。
【請求項５】
ボビンの取り付け用係止部及び接続部保持部材の取り付け用係合部は、それぞれ上下４箇所に設けられていることを特徴とする請求項１〜請求項４のいずれかに記載のエレベータの電磁マグネット装置。
【請求項６】
エレベータの巻上機に搭載される電動機やブレーキ装置等に設けられるエレベータのマグネット装置において、
隅角部の上下部に取り付け用係止部が設けられたボビンと、
前記ボビンに巻き付けられたコイルと、
前記ボビンの隅角部に配置されたコイルの巻き始めコイル端部及び巻き終わりコイル端部と、
前記コイルの巻き始めコイル端部及び巻き終わりコイル端部にそれぞれ配線・接続された巻き始め用外部ケーブル及び巻き終わり用外部ケーブルと、
前記ボビンの隅角部に取り付けられ、前記巻き始めコイル端部と巻き始め用外部ケーブルとの接続部及び巻き終わりコイル端部と巻き終わり用外部ケーブルとの接続部を保持固定する接続部保持部材と、
前記接続部保持部材の上下部に設けられ、前記ボビンの取り付け用係止部と互いに着脱自在に係合する取り付け係合部と、
前記接続部保持部材を取り付ける前記ボビンの隅角部以外の隅角部に取り付けられ、巻き付けられた前記コイルを保持固定するコイル巻き部保持部材と、
前記コイル巻き部保持部材の上下部に設けられ、前記ボビンの取り付け用係止部と互いに着脱自在に係合する取り付け係合部と、
を備えたことを特徴とするエレベータの電磁マグネット装置。
【請求項７】
エレベータの巻上機に搭載される電動機やブレーキ装置等に設けられるエレベータのマグネット装置において、
隅角部の上下部に取り付け用係止部が設けられたボビンと、
前記ボビンに巻き付けられ、ボビンの隅角部では湾曲されて巻き付けられるコイルと、
前記ボビンの隅角部で立ち上げるように整形されたコイルの巻き始めコイル端部及び巻き終わりコイル端部と、
前記コイルの巻き始めコイル端部及び巻き終わりコイル端部にそれぞれ配線・接続された巻き始め用外部ケーブル及び巻き終わり用外部ケーブルと、
前記ボビンの隅角部に取り付けられ、前記巻き始めコイル端部と巻き始め用外部ケーブルとの接続部及び巻き終わりコイル端部と巻き終わり用外部ケーブルとの接続部を保持固定する接続部保持部材と、
前記接続部保持部材の上下部に設けられ、前記ボビンの取り付け用係止部と互いに着脱自在に係合する取り付け係合部と、
前記接続部保持部材を取り付ける前記ボビンの隅角部以外の隅角部に取り付けられ、巻き付けられた前記コイルを保持固定するコイル巻き部保持部材と、
前記コイル巻き部保持部材の上下部に設けられ、前記ボビンの取り付け用係止部と互いに着脱自在に係合する取り付け係合部と、
を備えたことを特徴とするエレベータの電磁マグネット装置。
【請求項８】
隅角部の上下部に取り付け用係止部が設けられたボビンと、
前記ボビンに巻き付けられ、ボビンの隅角部では湾曲されて巻き付けられるコイルと、
前記ボビンの隅角部で立ち上げるように整形されたコイルの巻き始めコイル端部及び巻き終わりコイル端部と、
前記コイルの巻き始めコイル端部及び巻き終わりコイル端部にそれぞれ配線・接続された巻き始め用外部ケーブル及び巻き終わり用外部ケーブルと、
前記ボビンの隅角部に取り付けられ、前記巻き始めコイル端部と巻き始め用外部ケーブルとの接続部及び巻き終わりコイル端部と巻き終わり用外部ケーブルとの接続部を保持固定する接続部保持部材と、
前記接続部保持部材の上下部に設けられ、前記ボビンの取り付け用係止部と互いに着脱自在に係合する取り付け係合部と、
を備えたことを特徴とする電磁マグネット装置。
【発明の詳細な説明】
【技術分野】
【０００１】
この発明は、エレベータの巻上機に搭載される電動機やブレーキ装置等に設けられる電磁マグネット装置に関するものである。
【背景技術】
【０００２】
従来、例えば回転電機や静止機器等に用いられる電磁コイルを製造する方法としては、エナメル線を絶縁ボビンに多数巻き付けて製造する方法が用いられており、ボビンを介してコイルを巻回して電磁ブレーキを形成する例がある。このような電磁マグネットコイルは、コイルの最終端部（線端）をコイル巻き付け部から外部に引き出して、ボビンの上面の固定された位置にコイル端部を接続するために設けられたコイル端部接続用端子箱（中空の支持部）と接続部品（端子片）を備え、次に外部ケーブル（コネクタから延びる一対の電線）を上記コイル端部接続用端子箱部まで配線してコイルと外部ケーブルを接続する構成にしていた（例えば、特許文献１参照）。
【０００３】
【特許文献１】特開平９−８９０２２号公報（図１）
【発明の開示】
【発明が解決しようとする課題】
【０００４】
従来の電磁マグネット装置では、コイルの最終端部をコイル巻き付け部から外部に引き出して、外部ケーブルと接続を行っていたため、コイルの巻き終わり部分が固定されていないことにより、コイル端部の緩みが出て最終的にはコイル全体の巻き解けが起こるという問題があった。また、コイルの最終端部をコイル巻き付け部から外部に引き出して、外部ケーブルと接続を行っていたため、コイルを外部に引き回す際に他の部品との接触や干渉により、コイルの絶縁被覆損傷が起こるという問題があった。また、コイルの最終端部をコイル巻き付け部から引き出して、ボビンの上面の固定された位置で外部ケーブルと接続を行っていたため、引き出し位置が制約されるという問題があった。また、コイルの最終端部をコイル巻き付け部から引き出して、ボビンの上面に設けられたコイル端部接続用端子箱の箇所で外部ケーブルと接続を行っていたため、ボビンの上面から突き出た部分のスペースが大きくなり、電磁マグネット組立ての際に大きなスペースが必要になるという問題があった。
【０００５】
この発明は上記のような課題を解決するためになされたもので、コイルの巻き始め端部及び巻き終わり端部をそのまま外部に引き出すことなく、コイルが巻回されたボビンの隅各部の小スペースでコイルと外部ケーブルの接続を行い、その接続箇所を接続部保持部品を取り付けることにより、強固に保持固定できるエレベータの電磁マグネット装置を提供するものである。
【課題を解決するための手段】
【０００６】
この発明に係るエレベータの電磁マグネット装置は、エレベータの巻上機に搭載される電動機やブレーキ装置等に設けられるものにおいて、隅角部の上下部に取り付け用係止部が設けられたボビンと、ボビンに巻き付けられたコイルと、ボビンの隅角部に配置されたコイルの巻き始めコイル端部及び巻き終わりコイル端部と、コイルの巻き始めコイル端部及び巻き終わりコイル端部にそれぞれ配線・接続された巻き始め用外部ケーブル及び巻き終わり用外部ケーブルと、ボビンの隅角部に取り付けられ、巻き始めコイル端部と巻き始め用外部ケーブルとの接続部及び巻き終わりコイル端部と巻き終わり用外部ケーブルとの接続部を保持固定する接続部保持部材と、接続部保持部材の上下部に設けられ、ボビンの取り付け用係止部と互いに着脱自在に係合する取り付け係合部とを備えたものである。
【０００７】
また、隅角部の上下部に取り付け用係止部が設けられたボビンと、ボビンに巻き付けられ、ボビンの隅角部では湾曲されて巻き付けられるコイルと、ボビンの隅角部で立ち上げるように整形されたコイルの巻き始めコイル端部及び巻き終わりコイル端部と、コイルの巻き始めコイル端部及び巻き終わりコイル端部にそれぞれ配線・接続された巻き始め用外部ケーブル及び巻き終わり用外部ケーブルと、ボビンの隅角部に取り付けられ、巻き始めコイル端部と巻き始め用外部ケーブルとの接続部及び巻き終わりコイル端部と巻き終わり用外部ケーブルとの接続部を保持固定する接続部保持部材と、接続部保持部材の上下部に設けられ、ボビンの取り付け用係止部と互いに着脱自在に係合する取り付け係合部とを備えたものである。
【０００８】
さらにまた、接続部保持部材を取り付けるボビンの隅角部以外の隅角部に取り付けられ、巻き付けられたコイルを保持固定するコイル巻き部保持部材と、コイル巻き部保持部材の上下部に設けられ、ボビンの取り付け用係止部と互いに着脱自在に係合する取り付け係合部とを備えたものである。
【発明の効果】
【０００９】
この発明によれば、コイルの巻き始め端部及び巻き終わり端部をそのまま外部に引き出すことなく、コイルが巻回されたボビンの隅角部の小スペースでコイルと外部ケーブルの接続を行い、その接続箇所を接続部保持部材を取り付けることにより、強固に保持固定できるという効果がある。
【発明を実施するための最良の形態】
【００１０】
実施の形態１.
図１はこの発明の実施の形態１におけるエレベータの電磁マグネット装置の取り付け状態を示す斜視図、図２は図１のＡ部を示す拡大断面図、図３はこの発明の実施の形態１におけるエレベータの電磁マグネット装置のコイルを巻き終わった状態を示す斜視図、図４はこの発明の実施の形態１におけるエレベータの電磁マグネット装置の外部ケーブルを接続した後、接続部保持部材を取り付けようとする状態を示す斜視図、図５は図４の要部を拡大して示す側面図とそのＢ−Ｂ線に沿った断面図、図６は接続部保持部材を拡大して示す平面図と正面図とＣ方向から見た側面図、図７はこの発明の実施の形態１におけるエレベータの電磁マグネット装置の接続部保持部材を取り付けた状態を示す斜視図、図８は図７の要部を拡大して示す側面図とそのＤ−Ｄ線に沿った断面図、図９は図８のＥ−Ｅ線に沿った断面図である。
【００１１】
図において、１はエレベータのマグネット装置、２は絶縁性を有する樹脂成形品からなるボビン、３はボビン２に巻き付けられたコイルで、ボビンの隅角部では湾曲されて巻き付けられている。４はボビン２の一隅角部で立ち上げるように整形された巻き始めコイル端部、５はボビン２の一隅角部で立ち上げるように整形された巻き終わりコイル端部、６は巻き始めコイル端部４と接続される巻き始め用外部ケーブル、７は巻き終わりコイル端部５と接続される巻き終わり用外部ケーブル、８はボビン２の一隅角部に設けられた接続部保持部材である。この接続部保持部材は、絶縁性を有する樹脂成形品であり、巻き始めコイル端部４と巻き始め用外部ケーブル６との接続部及び巻き終わりコイル端部５と巻き終わり用外部ケーブル７との接続部を保持固定するとともに保護している。９は接続部保持部材８の背面に縦方向に設けられた左右一対の接続部保持用溝で、その一つは巻き始めコイル端部４と巻き始め用外部ケーブル６とその接続部を収容保持し、かつ他の一つは巻き終わりコイル端部５と巻き終わり用外部ケーブル７とその接続部を収容保持している。１０は接続部保持部材８の下端部に縦方向に設けられた左右一対の外部ケーブル引き出し用切り欠きで、その一つは巻き始め用外部ケーブル６を外部に引き出し、かつ他の一つは巻き終わり用外部ケーブル７を外部に引き出すものである。１１は接続部保持部材８の上下端の中央部に設けられた取り付け用係合部としての上下一対の突起、１２はボビン２の隅角部の上下枠の互いに対向する内側面中央部に鋸歯状に設けられた取り付け用係止部としての多段式の溝で、上記接続部保持部材８の上下端中央部の取り付け用突起１１を引っ掛けて容易に取り付けるためのものである。
【００１２】
次に、この発明による電磁マグネット装置１の組立て作業方法について説明する。
ボビン２を巻線機（図示せず）にセットし、コイル３を所定の張力によりボビン２に巻き付ける。その後、図３に示すように、巻き始めコイル端部４と巻き終わりコイル端部５をボビン２の一隅角部に立ち上げるように整形しておく。次に、図４に示すように、巻き始め用外部ケーブル６と巻き終わり用外部ケーブル７を配線して、巻き始めコイル端部４と巻き終わりコイル端部５に各々配線・接続を行う。この接続方法はハンダ付け又はスリーブかしめで接続し、その後絶縁テープ等を巻いて所定の絶縁処理を行う（図示せず）。次に、接続部を保持固定及び保護するために、接続部保持部材８を取り付ける。この際、接続部は、接続部保持用溝９とコイル３の側面により挟み込まれて固定される。また、接続部保持部材８は、上下端の中央部に取り付け用突起１１を有しており、この取り付け用突起１１をボビン２に設けられた多段式の取り付け用溝１２に引っ掛けることにより、容易に取り付けることができる。また、巻き始め用外部ケーブル６と巻き終わり用外部ケーブル７は、接続部保持部材８の下端部に設けられた外部ケーブル引き出し用切り欠き１０から引き出されて所定の位置まで配線される。
【００１３】
図３はボビン２にコイル３を巻き付けた後、巻き始めコイル端部４と巻き終わりコイル端部５をボビン２の角部に立ち上げるように整形した状態を示している。また、図４、図５は巻き始め用外部ケーブル６と巻き終わり用外部ケーブル７を配線して、巻き始めコイル端部４と巻き終わりコイル端部５に各々配線・接続した状態を示している。また、図６は接続部保持部材８の詳細を示した図である。接続部保持部材８は、コイル３や外部ケーブル６、７のサイズに応じて、適宜挟み込みスペースを変えることができる接続部保持用溝９と、切り欠きの方向を変えることで所定位置に引き出し易くする外部ケーブル引き出し用切り欠き１０と、接続部保持部材８を強固に取り付けることを可能とする取り付け用突起１１を備えている。また、図７、図８はボビン２の角部に接続部保持部材８を取り付け、巻き始め用外部ケーブル６と巻き終わり用外部ケーブル７を引き出した状態を示している。また、図９は巻き始めコイル端部４と巻き始め用外部ケーブル６が接続され、かつ巻き終わりコイル端部５と巻き終わり用外部ケーブル７が接続された後、接続部保持部材８の取り付けにより保持固定された状態を示している。また、接続部保持部材８の上下端の中央部に設けられた取り付け用突起１１と、ボビン２に設けられた多段式の取り付け用溝１２は、コイル巻きの外形寸法の大小に関係なく最適の位置に引っ掛り、強固に固定されるものである。
【００１４】
この実施の形態１によれば、コイルの最終端部と外部ケーブルの接続をコイル巻き付けされたボビンの隅角部位置で行い、その接続箇所及びコイル巻き終わり部箇所も合わせて接続部保持部材で押え込んで強固に保持固定するので、コイルの緩みが無くなり、巻き解けしないようにできる。また、コイルを外部まで引き回さなくて良いので、配線途中にある外部部品との接触、干渉によるコイル絶縁被覆の破損を防止することができる。また、コイルと外部ケーブルの接続箇所を覆うことができるので、見栄えよくすることができ、物理的に外部のアース部品から遮断して、絶縁空間距離を小さくすることができる。また、コイル巻き付け時の巻き乱れでコイルの巻き付け外形寸法が変わっても、接続部保持部材の上下端中央部に設けた取り付け用突起と、ボビンに設けた多段式の取り付け溝との組み合わせにより、接続部保持部材を押し込みながら最適の位置に取り付けることができる。
【００１５】
実施の形態２.
図１０はこの発明の実施の形態２におけるエレベータの電磁マグネット装置の接続部保持部材を取り付けた状態を示す斜視図、図１１は図１０の要部を拡大して示す側面図とそのＦ−Ｆ線に沿った断面図、図１２は接続部保持部材を拡大して示す平面図と正面図とＧ方向から見た側面図である。なお、図中、実施の形態１と同一又は相当部分に同一符号で示し、説明を省略する。
【００１６】
上記実施の形態１では、接続部保持部材８の上下端中央部に上下２個の取り付け用突起１１を設け、ボビン２の角部の上下枠の互いに対向する内側面中央部に多段式の取り付け用溝１２をそれぞれ設けた上下の２箇所で構成したものであるが、この実施の形態２においては、接続部保持部材８の上下端の両側部に上下４個の取り付け用突起１１を設け、ボビン２の角部の上下枠の互いに対向する両側部内側面に多段式の取り付け用溝１２をそれぞれ設けた上下４個所で構成したものである。
これにより、実施の形態１と同様の効果が得られる。
【００１７】
実施の形態３.
図１３はこの発明の実施の形態３におけるエレベータの電磁マグネット装置の接続部保持部材を取り付けた状態を示す斜視図、図１４はコイル巻き部保持部材を拡大して示す平面図と正面図とＨ方向から見た側面図である。なお、図中、実施の形態１、２と同一又は相当部分に同一符号で示し、説明を省略する。
【００１８】
上記実施の形態１、２では、ボビン２の一つの隅角部に接続部保持部材８を取り付け、他の隅角部には何も取り付けていないが、この実施の形態３においては、ボビン２の一つの隅角部に接続部保持部品８を取り付け、それ以外の他の３つの隅角部にはコイル巻き部保持部材１３を取り付けるようにしたものである。このコイル巻き部保持部材１３の構成は、接続部保持部材８と比較して、接続部保持用溝９及び外部ケーブル引き出し用切り欠き１０を有せずに、コイル巻き部保持部材１３の上下端の両側部に上下４個の取り付け用突起１１を設ける。一方、ボビン２の構成は、ボビン２の３つの角部の上下枠の互いに対向する両側部内側面に多段式の取り付け用溝１２をそれぞれ設けた上下４個所で構成したものである。
上記コイル巻き部保持部材１３により、コイル巻き付けの緩み止め固定、コイル巻き乱れ部の修正固定、ボビン角部付近の外部アースとの間を物理的に遮断できるので、絶縁空間距離を小さくすることができる
これにより、接続部保持部材８を取り付けるための取り付け用溝１２をボビン２の４隅角部に設けたので、実施の形態１、２の効果にくわえて、外部ケーブルの引き出し位置を自由に選定できるという効果が得られる。
【図面の簡単な説明】
【００１９】
【図１】この発明の実施の形態１におけるエレベータの電磁マグネット装置の取り付け状態を示す斜視図である。
【図２】図１のＡ部を示す拡大断面図である。
【図３】この発明の実施の形態１におけるエレベータの電磁マグネット装置のコイルを巻き終わった状態を示す斜視図である。
【図４】この発明の実施の形態１におけるエレベータの電磁マグネット装置の外部ケーブルを接続した後、接続部保持部材を取り付けようとする状態を示す斜視図である。
【図５】図４の要部を拡大して示す側面図とそのＢ−Ｂ線に沿った断面図である。
【図６】接続部保持部材を拡大して示す平面図と正面図とＣ方向から見た側面図である。
【図７】この発明の実施の形態１におけるエレベータの電磁マグネット装置の接続部保持部材を取り付けた状態を示す斜視図である。
【図８】図７の要部を拡大して示す側面図とそのＤ−Ｄ線に沿った断面図である。
【図９】図８のＥ−Ｅ線に沿った断面図である。
【図１０】この発明の実施の形態２におけるエレベータの電磁マグネット装置の接続部保持部材を取り付けた状態を示す斜視図である。
【図１１】図１０の要部を拡大して示す側面図とそのＦ−Ｆ線に沿った断面図である。
【図１２】接続部保持部材を拡大して示す平面図と正面図とＧ方向から見た側面図である。
【図１３】この発明の実施の形態３におけるエレベータの電磁マグネット装置の接続部保持部材を取り付けた状態を示す斜視図である。
【図１４】コイル巻き部保持部材を拡大して示す平面図と正面図とＨ方向から見た側面図である。
【符号の説明】
【００２０】
１  電磁マグネット装置
２  ボビン
３  コイル
４  巻き始めコイル端部
５  巻き終わりコイル端部
６  巻き始め用外部ケーブル
７  巻き終わり用外部ケーブル
８  接続部保持部材
９  接続部保持用溝
１０  外部ケーブル引き出し用切り欠き
１１  取り付け用突起
１２  取り付け用溝
１３  コイル巻き部保持部材
【図１】
2007261725.tif 000003
【図２】
2007261725.tif 000004
【図３】
2007261725.tif 000005
【図４】
2007261725.tif 000006
【図５】
2007261725.tif 000007
【図６】
2007261725.tif 000008
【図７】
2007261725.tif 000009
【図８】
2007261725.tif 000010
【図９】
2007261725.tif 000011
【図１０】
2007261725.tif 000012
【図１１】
2007261725.tif 000013
【図１２】
2007261725.tif 000014
【図１３】
2007261725.tif 000015
【図１４】
2007261725.tif 000016